(57)【要約】      （修正有）【課題】誰もが容易に取り扱え、且つ、作業性・操作性が良く、短時間で屋根材の板金施工作業が可能で、経済的な屋根材板金施工用治具を提供する。【解決手段】回動軸部１ｇに複数の固定側筒状部材１ｆと回動側筒状部材を軸着して設け、該固定側筒状部材側には回動軸部に対して水平方向の後方に、矩形状の固定板１ａを固定側筒状部材に溶着し、該固定板上面の中央やや後方にコの字状の固定用棒部材３ａを溶着して設け、回動軸部に対して垂直方向下方の回動側筒状部材には、折り曲げ部材１ｂを溶着して設け、且つ、前記固定板の上面左右に前後方向に移動して、回動軸部と固定部材間の腕の長さを調整可能に設けたコの字状の前後移動用ローラ３ｃ付固定用棒部材を設け、且つ、前記折り曲げ部材の側面に補強部材１ｃを設け、左右にコの字状の回動用取手部材２を前方側から後方側にコの字状に折り曲げ形成して設けたものである。【選択図】図２
0003160780.tif 000002
【実用新案登録請求の範囲】
【請求項１】
屋根材の軒先加工及び切妻側加工を施す為の板金施工用治具であって、該治具（Ｓ）は回動軸部（１ｇ）の中心に複数の固定側筒状部材（１ｆ）（１ｅ）（１ｆ'）と回動側筒状部材（１ｄ）（１ｄ'）をそれぞれ交互に軸着して設け、且つ、該固定側筒状部材側には回動軸部に対して水平方向の後方に、やや幅広でほぼ矩形状の固定板（１ａ）を固定側筒状部材の外周面と面一に溶着し、該固定板（１ａ）上面の中央やや後方にコの字状の固定用棒部材（１ｈ）を溶着して設け、且つ、回動軸部に対して垂直方向下方の回動側筒状部材には、屋根材の折り曲げ幅に適合した板幅を有し、且つ、折り曲げ部材（１ｂ）を屋根材折り曲げ時の板厚寸法に合わせた所定寸法（Ｘ）だけ隙間を空けて溶着して設け、且つ、前記固定板（１ａ）の上面左右に前後方向に移動して、回動軸部と固定部材間の腕の長さ（Ｌ）を調整可能に設けたコの字状の前後移動用ローラ（３ｃ）付固定用棒部材（３ａ）を設け、且つ、前記折り曲げ部材（１ｂ）の側面に補強部材（１ｃ）を設け、左右にコの字状の回動用取手部材（２）を前方側から後方側にコの字状に折り曲げ形成して設けた事を特徴とする屋根材板金施工用治具。
【考案の詳細な説明】
【技術分野】
【０００１】
この考案は、屋根材の軒先加工及び切妻側加工を施す為の板金施工用治具に関するものである。
【背景技術】
【０００２】
従来、家屋の屋根部に使用する屋根材は左右両端部にハゼ折りといって、略逆Ｕ字形状又は略富士山形状にそれぞれ形成されていて、そのハゼ折り部をそれぞれ重合嵌着して連結し、且つ、下端部は屋根の裾部に敷設した梁部材と一緒にＵ字状に折り曲げ施工する為に、左右をハゼ部の内側から上下方向に折り曲げ幅分の切り込みをそれぞれ入れ、且つ、折り曲げ用治具を使用して下向きに１８０度折り曲げ、更に圧着用の道具を使用して梁部材の縁部材と一緒に圧着していた。
【０００３】
その為、屋根材に切り込みを入れる作業と、折り曲げる作業と、圧着する作業が複数回繰り返される為、作業性が悪く、肉体的にも重労働であり、工数的にも時間が掛かる為、多額の経費が掛かる等の問題があった。
【０００４】
そこで、上記の問題を解決するべく、誰もが容易に取り扱え、且つ、作業性が良く、短時間で屋根材の板金施工作業が可能で、経済的な屋根材板金施工用治具を早期に開発・提供する事が望まれている。
【先行技術文献】
【特許文献】
【０００５】
これまでに出願されている屋根材の板金施工用治具及び施工方法に関する特許文献を参考の為、紹介する（特許文献１〜２参照）。
【特許文献１】特許公開平０８−２１８５６５
【特許文献２】特許公開平１０−０３７４１０
【考案の概要】
【考案が解決しようとする課題】
【０００６】
そこで、上記課題を解決する為に、この考案は誰もが容易に取り扱え、且つ、作業性・操作性が良く、短時間で屋根材の板金施工作業が可能で、経済的な屋根材板金施工用治具を早期に開発・提供する事にある。
【課題を解決するための手段】
【０００７】
この課題を解決するための手段として、回動軸部の中心に複数の固定側筒状部材と回動側筒状部材をそれぞれ交互に軸着して設け、且つ、該固定側筒状部材側には回動軸部に対して水平方向の後方に、やや幅広でほぼ矩形状の固定板を固定側筒状部材の外周面と面一に溶着し、該固定板上面の中央やや後方にコの字状の固定用押圧部材を溶着して設け、且つ、回動軸部に対して垂直方向下方の回動側筒状部材には、屋根材の折り曲げ幅に適合した板幅を有し、且つ、折り曲げ部材を屋根材折り曲げ時の板厚寸法に合わせた所定寸法だけ隙間を空けて溶着して設け、且つ、前記固定板の上面左右に前後方向に移動して、回動軸部と固定部材間の腕の長さを調整可能に設けたコの字状の前後移動用ローラ付固定用棒部材を設け、且つ、前記折り曲げ部材の側面に補強部材を設け、左右にコの字状の回動用取手部材を前方側から後方側にコの字状に折り曲げ形成して設けたものである。
【考案の効果】
【０００８】
この考案の効果として、回動軸部の中心に複数の固定側筒状部材と回動側筒状部材をそれぞれ交互に軸着して設け、且つ、該固定側筒状部材側には回動軸部に対して水平方向の後方に、やや幅広でほぼ矩形状の固定板を固定側筒状部材の外周面と面一に溶着し、該固定板上面の中央やや後方にコの字状の固定用押圧部材を溶着して設け、且つ、回動軸部に対して垂直方向下方の回動側筒状部材には、屋根材の折り曲げ幅に適合した板幅を有し、且つ、折り曲げ部材を屋根材折り曲げ時の板厚寸法に合わせた所定寸法だけ隙間を空けて溶着して設け、且つ、前記固定板の上面左右に前後方向に移動して、回動軸部と固定部材間の腕の長さを調整可能に設けたコの字状の前後移動用ローラ付固定用棒部材を設け、且つ、前記折り曲げ部材の側面に補強部材を設け、左右にコの字状の回動用取手部材を前方側から後方側にコの字状に折り曲げ形成して設けた事で、誰もが容易に取り扱え、且つ、軒先加工と切妻側加工の両方が行え、又、固定用棒部材が伸縮移動可能な為、屋根材のハゼ部と干渉する事なく、確実に屋根材上面へ固定出来る。又、固定用棒部材の先端部をハゼ部の側面に宛がって固定する事で、作業性が良く、短時間で屋根材の板金施工作業が可能で経済的である。更に、均一な寸法を確保出来る為、仕上がりが綺麗である等、極めて有益なる効果を奏するものである。
【図面の簡単な説明】
【０００９】
【図１】この考案の一実施例を示し、（Ａ）は屋根材板金施工用治具の平面図で、（Ｂ）は正面図である。
【図２】この考案の一実施例を示し、屋根材板金施工用治具の右側面図である。
【図３】この考案の使用例を示し、（Ａ）は屋根軒先加工時の締め付け前の状態図で、（Ｂ）は図３（Ａ）のａ部拡大詳細図で、（Ｃ）は屋根軒先加工時の締め付け後の状態図で、（Ｄ）は図３（Ｃ）のｂ部拡大詳細図である。
【図４】この考案の使用例を示し、（Ａ）は流れ方向（切妻側）加工時の締め付け前の状態図で、（Ｂ）は締め付け後の状態図である。
【考案を実施するための形態】
【００１０】
この考案を実施するための形態として、屋根材の軒先加工及び切妻側加工を施す為の板金施工用治具であって、該治具（Ｓ）は回動軸部（１ｇ）の中心に複数の固定側筒状部材（１ｆ）（１ｅ）（１ｆ'）と回動側筒状部材（１ｄ）（１ｄ'）をそれぞれ交互に軸着して設け、且つ、該固定側筒状部材側には回動軸部に対して水平方向の後方に、やや幅広でほぼ矩形状の固定板（１ａ）を固定側筒状部材の外周面と面一に溶着し、該固定板（１ａ）上面の中央やや後方にコの字状の固定用押圧部材（１ｈ）を溶着して設け、且つ、回動軸部に対して垂直方向下方の回動側筒状部材には、屋根材の折り曲げ幅に適合した板幅を有し、且つ、折り曲げ部材（１ｂ）を屋根材折り曲げ時の板厚寸法に合わせた所定寸法（Ｘ）だけ隙間を空けて溶着して設け、且つ、前記固定板（１ａ）の上面左右に前後方向に移動して、回動軸部と固定部材間の腕の長さ（Ｌ）を調整可能に設けたコの字状の前後移動用ローラ（３ｃ）付固定用棒部材（３ａ）を設け、且つ、前記折り曲げ部材（１ｂ）の側面に補強部材（１ｃ）を設け、左右にコの字状の回動用取手部材（２）を前方側から後方側にコの字状に折り曲げ形成して設けた事を特徴とする屋根材板金施工用治具から構成される。
【実施例１】
【００１１】
そこで、この考案の一実施例を図１〜図２に基づいて詳述すると、本考案の屋根材板金施工用治具（Ｓ）の寸法・形状及び構造は、回動軸部に軸着した複数の回動側筒状部材（１ｄ）（１ｄ'）と固定側筒状部材（１ｆ）（１ｅ）（１ｆ'）をそれぞれ設け、且つ、一方側の回動軸部に対して垂直方向下方の回動側筒状部材（１ｄ）（１ｄ'）には屋根材の折り曲げ幅に適合した板幅を有し、且つ、長さ寸法約２８８ｍｍ×幅寸法約２０ｍｍ×板厚約９ｍｍで形成した折り曲げ部材（１ｂ）を屋根材折り曲げ時の板厚寸法に合わせた所定寸法（Ｘ）の隙間を空けて溶着して設け、折り曲げ部材（１ｂ）の前方側面部には、長さ寸法約２８８ｍｍ×幅寸法約２５ｍｍ×板厚約９ｍｍで形成した補強部材（１ｃ）を溶着し、更に、補強部材（１ｃ）の上面左右には、平面視形状がコの字状で側面視形状がほぼＬ字状の回動用取手部材（２）を溶着して設け、且つ、他方側の固定側筒状部材（１ｆ）（１ｅ）（１ｆ'）側の水平後方側には、長さ寸法約３０８ｍｍ×幅寸法約９０ｍｍ×板厚約６ｍｍに形成したほぼ矩形状の固定板（１ａ）を固定側筒状部材上面と面一に溶着し、該固定板（１ａ）の上面中央には外径約φ１３ｍｍの丸棒部材をコの字状に折り曲げ形成した固定用押圧部材（１ｈ）を溶着して設け、且つ、固定板（１ａ）の上面左右には左右両端には案内部材（３ｂ）と接合部材（３ｂ'）を上下に溶着して設け、更に、左右に設けた各案内部材には、くの字状に折り曲げ形成した固定用押圧部材（３ａ）（３ａ）の一端をそれぞれ挿着し、上部をソケットボルト等の係止部材でそれぞれ係止し、更に、左右の固定用棒部材（３ａ）（３ａ）の他端部先端左右には、前後移動用ローラ（３ｃ）に軸支したローラ用支軸（３ｄ）をソケットボルト（ＳＢ）等の係止部材でそれぞれ係止して、前後方向に移動可能にする事で、回動軸部と固定部材間の腕の長さ（Ｌ）を調整可能に設けたものである。
【００１２】
図１（Ａ）は本考案の治具の平面図で、（Ｂ）は正面図である。
【００１３】
又、図２は本考案の治具の右側面図である。
【００１４】
次に、本考案の治具（Ｓ）の軒先加工時と流れ方向（切妻側）加工時の使用方法について説明すると、まず、軒先加工時は、図３に示す様に屋根材の軒先部に治具（Ｓ）の回動軸外周角部（ＣＯ）を軒先と平行に合せて固定し、治具の固定用押圧部材（１ｈ）を一方方の手で押さえながら、他方の手で回動用取手部材（２）を持って上方向に持ち上げながら屋根材を折り曲げる。
【００１５】
図３（Ａ）は屋根材軒先加工時の締め付け前の使用状態図を示し、図３（Ｂ）は図３（Ａ）のａ部拡大詳細図である。又、図３（Ｃ）は軒先加工時の締め付け後の使用状態図を示し、図３（Ｄ）は３（Ｃ）のｂ部拡大詳細図である。
【００１６】
続いて、流れ方向（切妻側）加工時は、図４に示す様に上記の軒先加工時と同様に、屋根材の切妻部に治具（Ｓ）の回動軸外周角部（ＣＯ）を切妻部と平行に合せて固定し、続いて固定用棒部材先端の前後移動用ローラ部が屋根のハゼ部（Ｈ）に干渉しないよう腕の長さ（Ｌ）を移動調整してソケットボルト（ＳＢ）等の係止部材で固定用棒部材を確実に固定させる。そして、治具の固定用押圧部材（１ｈ）を一方の手で押さえながら、他方の手で回動用取手部材（２）を持って上方向に持ち上げながら屋根材を折り曲げる。
【００１７】
図４（Ａ）は流れ方向（切妻側）加工時の締め付け前の使用状態図を示し、図４（Ｂ）は締め付け後の使用状態図を示す。
【００１８】
尚、前記軒先加工及び流れ方向（切妻側）加工時において、屋根材の幅寸法が治具の幅より広い場合は、幅方向に治具を移動させて、繰り返し作業を行う。
【産業上の利用可能性】
【００１９】
この考案の屋根材板金施工用治具は、誰もが容易に取り扱え、且つ、軒先加工と切妻側加工の両方が行え、又、固定用棒部材が伸縮移動可能な為、屋根材のハゼ部と干渉する事なく、確実に屋根材上面へ固定出来る。又、固定用棒部材の先端ローラ部をハゼ部の側面に宛がって固定する事で、作業性が良く、短時間で屋根材の板金施工作業が可能で経済的である。更に、均一な寸法を確保出来る為、仕上がりが綺麗である為、多くの建築関係及び板金施工業者等に寄与する為、産業上の利用可能性を有する。
【符号の説明】
【００２０】
１ａ  固定板
１ｂ  折り曲げ部材
１ｃ  補強部材
１ｄ  回動側筒状部材
１ｄ'  回動側筒状部材
１ｅ  固定側筒状部材
１ｆ  固定側筒状部材
１ｆ'  固定側筒状部材
１ｇ  回動軸部
１ｈ  固定用押圧部材
２  回動用取手部材
３ａ  固定用棒部材
３ｂ  案内部材
３ｂ'  接合部材
３ｃ  前後移動用ローラ
３ｄ  ローラ用支軸
ＣＯ  角部
Ｈ  ハゼ部
Ｌ  回動軸部と固定部材間の腕の長さ
ＬＰ  屋根材
Ｓ  治具
ＳＢ  ソケットボルト
Ｘ  所定寸法
【図１】
0003160780.tif 000003
【図２】
0003160780.tif 000004
【図３】
0003160780.tif 000005
【図４】
0003160780.tif 000006